(57)【要約】      （修正有）【課題】シンプルな構成により全方向への配光が可能な照明用光源を提供する。【解決手段】棒状部材３０と、主面にＬＥＤ素子５８が設けられたフレキシブル基板５２とを備え、フレキシブル基板５２は、棒状部材３０に巻きつけられている。フレキシブル基板５２は、長尺状であり、棒状部材３０に、等間隔の螺旋状に巻きつけられている。発光素子５８は、フレキシブル基板５２の主面に、長手方向に沿って複数設けられる。【選択図】図１
2015153705.tif 000002
【特許請求の範囲】
【請求項１】
棒状または環状の芯材と、
発光素子が設けられたフレキシブル基板とを備え、
前記フレキシブル基板は、前記芯材に巻きつけられている
照明用光源。
【請求項２】
前記フレキシブル基板は、長尺状であり、前記芯材に、螺旋状に巻きつけられている
請求項１に記載の照明用光源。
【請求項３】
前記フレキシブル基板は、前記芯材に、等間隔の螺旋状に巻きつけられている
請求項２に記載の照明用光源。
【請求項４】
前記発光素子は、前記フレキシブル基板の主面に、長手方向に沿って複数設けられる
請求項２または３に記載の照明用光源。
【請求項５】
前記フレキシブル基板は、前記主面が外側を向いた状態で前記芯材に巻きつけられている
請求項４に記載の照明用光源。
【請求項６】
さらに、前記フレキシブル基板が巻きつけられた前記芯材を収容する、透光性を有する筐体を備える
請求項１〜５のいずれか１項に記載の照明用光源。
【請求項７】
前記筐体は、前記発光素子からの光を拡散させる光拡散部を有する
請求項６に記載の照明用光源。
【請求項８】
さらに、前記筐体を覆う、フレキシブルかつ透光性を有するカバー部材を備える
請求項６または７に記載の照明用光源。
【請求項９】
前記芯材は、棒状であり、
前記照明用光源は、さらに、前記芯材の長手方向の端部に設けられ、前記発光素子を発光させるための電力を受電する口金を備える
請求項１〜８のいずれか１項に記載の照明用光源。
【請求項１０】
前記芯材は、透光性を有する
請求項１〜９のいずれか１項に記載の照明用光源。
【請求項１１】
請求項１〜１０のいずれか１項に記載の照明用光源を備える
照明装置。
【発明の詳細な説明】
【技術分野】
【０００１】
本発明は、照明用光源に関し、特に、発光ダイオード（ＬＥＤ：Ｌｉｇｈｔ  Ｅｍｉｔｔｉｎｇ  Ｄｉｏｄｅ）などの発光素子を用いた照明用光源及びこれを備える照明装置に関する。
【背景技術】
【０００２】
ＬＥＤは、高効率及び長寿命であることから、従来から知られる蛍光灯や白熱電球等の各種ランプにおける新しい光源として期待されており、ＬＥＤを用いたランプ（ＬＥＤランプ）の研究開発が進められている。
【０００３】
ＬＥＤランプとしては、両端部に電極コイルを有する直管形蛍光灯に代替する直管形のＬＥＤランプ（直管ＬＥＤランプ）、あるいは、電球形蛍光灯や白熱電球に代替する電球形のＬＥＤランプ（電球形ＬＥＤランプ）等がある。例えば、特許文献１には、従来の直管ＬＥＤランプが開示されている。
【先行技術文献】
【特許文献】
【０００４】
【特許文献１】特開２００９−４３４４７号公報
【発明の概要】
【発明が解決しようとする課題】
【０００５】
ＬＥＤのような発光素子を用いた照明用光源においては、発光素子からの光の出射角が小さいために、配光角が小さくなりやすい。このため、発光素子を用いた照明用光源において全方向への配光を実現するための構成については、検討の余地がある。
【０００６】
そこで、本発明は、シンプルな構成により全方向への配光が可能な照明用光源及び照明装置を提供する。
【課題を解決するための手段】
【０００７】
上記目的を達成するために、本発明の一態様に係る照明用光源は、棒状または環状の芯材と、発光素子が設けられたフレキシブル基板とを備え、前記フレキシブル基板は、前記芯材に巻きつけられている。
【０００８】
また、前記フレキシブル基板は、長尺状であり、前記芯材に、螺旋状に巻きつけられていてもよい。
【０００９】
また、前記フレキシブル基板は、前記芯材に、等間隔の螺旋状に巻きつけられていてもよい。
【００１０】
また、前記発光素子は、前記フレキシブル基板の主面に、長手方向に沿って複数設けられてもよい。
【００１１】
また、前記フレキシブル基板は、前記主面が外側を向いた状態で前記芯材に巻きつけられていてもよい。
【００１２】
また、さらに、前記フレキシブル基板が巻きつけられた前記芯材を収容する、透光性を有する筐体を備えてもよい。
【００１３】
また、前記筐体は、前記発光素子からの光を拡散させる光拡散部を有してもよい。
【００１４】
また、さらに、前記筐体を覆う、フレキシブルかつ透光性を有するカバー部材を備えてもよい。
【００１５】
また、前記芯材は、棒状であり、前記照明用光源は、さらに、前記芯材の長手方向の端部に設けられ、前記発光素子を発光させるための電力を受電する口金を備えてもよい。
【００１６】
また、前記芯材は、透光性を有してもよい。
【００１７】
また、本発明の一態様に係る照明装置は、上記いずれかの態様に係る照明用光源を備える。
【発明の効果】
【００１８】
本発明によれば、シンプルな構成により全方向への配光が可能な照明用光源及び照明装置が実現される。
【図面の簡単な説明】
【００１９】
【図１】図１は、実施の形態１に係る直管形ランプの構成を示す斜視図である。
【図２】図２は、実施の形態１に係る直管形ランプの構成を示す分解斜視図である。
【図３】図３は、実施の形態１に係るＬＥＤモジュールの構成を示す図である。
【図４】図４は、実施の形態１に係るＬＥＤモジュールの構成を示す平面図である。
【図５】図５は、棒状部材の別の例を示す平面図である。
【図６】図６は、実施の形態２に係る照明用光源の外観を示す図である。
【図７】図７は、実施の形態３に係る照明装置の構成を示す斜視図である。
【図８】図８は、ＣＯＢ（Ｃｈｉｐ  Ｏｎ  Ｂｏａｒｄ）型のＬＥＤモジュールの構成を示す平面図である。
【図９】図９は、図８のＬＥＤモジュールをＡ−Ａ’線に沿って切断した場合の断面図である。
【発明を実施するための形態】
【００２０】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。
【００２１】
よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２２】
なお、各図は、模式図であり、必ずしも厳密に図示されたものではない。また、各図において、実質的に同一の構成に対しては同一の符号を付し、重複する説明は省略または簡略化される場合がある。
【００２３】
（実施の形態１）
まず、実施の形態１に係る照明用光源について、図１及び図２を用いて説明する。
【００２４】
図１は、実施の形態１に係る照明用光源の構成を示す斜視図である。また、図２は、実施の形態１に係る直管形ランプの構成を示す分解斜視図である。
【００２５】
図１及び図２に示されるように、照明用光源１０は、従来の直管形蛍光灯（直管形蛍光ランプ）の代替照明として使用される長尺状の直管形ＬＥＤランプである。照明用光源１０は、筐体２０と、棒状部材３０（棒状の芯材）と、ＬＥＤモジュール５０と、口金６０と、点灯回路（図外）とを備える。以下、各構成要素について詳細に説明する。
【００２６】
［筐体］
筐体２０（バルブ）は、ランプ筐体の外面を構成する長尺円筒状の部材であって、ＬＥＤモジュール５０及び点灯回路等を保護している。筐体２０は、ＬＥＤモジュール５０が発する光を照明用光源１０の外部に透光する透光性の材料で構成されている。筐体２０は、例えばアクリル等からなる透明樹脂材料またはガラスによって構成されており、所望の透明樹脂材料を樹脂成型することによって形成することができる。
【００２７】
筐体２０としては、例えばシリカ（ＳｉＯ２）が７０〜７２％のソーダ石灰ガラスによって構成された直管（ガラス管）、またはポリカーボネート等の樹脂材料から構成された直管（プラスチック管）を用いることができる。なお、実施の形態１において、筐体２０は、非分割型であるが、分割型であってもよい。
【００２８】
なお、筐体２０は、ＬＥＤモジュール５０からの光を拡散させるための光拡散機能を有する光拡散部を備えてもよい。これにより、ＬＥＤモジュール５０から発せられた光は、筐体２０を通過する際に拡散される。
【００２９】
光拡散部は、例えば、筐体２０の内面及び外面の少なくともいずれかに形成された光拡散シートまたは光拡散膜等である。光拡散部は、具体的には、シリカや炭酸カルシウム等の光拡散材（微粒子）を含有する樹脂や白色顔料を、筐体２０の内面及び外面の少なくともいずれかに付着させて形成された乳白色の光拡散膜である。
【００３０】
また、光拡散部は、筐体２０の内部及び外部の少なくとも一方に設けられたレンズ構造物や、または筐体２０の内面及び外面の少なくとも一方に形成された凹部または凸部であってもよい。
【００３１】
また、例えば、筐体２０の内面及び外面の少なくともいずれかにドットパターンを印刷したり、筐体２０の一部を加工したりすることで、筐体２０に光拡散機能（光拡散部）を持たせることもできる。また、筐体２０そのものを、光拡散材が分散された樹脂材料等を用いて成形することで、筐体２０に光拡散機能（光拡散部）を持たせることもできる。
【００３２】
なお、筐体２０は、カバー部材によって覆われていてもよい。カバー部材は、フレキシブルかつ透光性を有する部材であって、長手方向の端部を除いた筐体２０の外側全体を覆う部材である。カバー部材は、筐体２０が破損した場合に、筐体２０の破片が飛び散らないように保護することを主目的として、筐体２０を覆うように設けられる。
【００３３】
カバー部材は、例えば、両端が開口した筒状の熱収縮性部材によって実現される。カバー部材を筐体２０に取り付ける際には、まず、筒状のカバー部材の内部に、筐体２０を配置する。その後、カバー部材を、工業用ドライヤー等で加熱する。その結果、カバー部材は、主として径方向に収縮し、筐体２０の外形に沿った形状に変化することによって筐体２０に取り付けられる。
【００３４】
［ＬＥＤモジュール］
ＬＥＤモジュール５０は、照明用光源１０の光源であり、棒状部材３０に巻きつけられた状態で、筐体２０に収容されている。ＬＥＤモジュール５０は、接着剤（ＬＥＤモジュール５０の裏面に設けられた接着面）により棒状部材３０に固定される。
【００３５】
図３は、ＬＥＤモジュール５０の構成を示す図である。図４は、ＬＥＤモジュール５０の構成を示す平面図である。
【００３６】
図３及び図４に示されるように、ＬＥＤモジュール５０は、表面実装（ＳＭＤ：Ｓｕｒｆａｃｅ  Ｍｏｕｎｔ  Ｄｅｖｉｃｅ）型の発光モジュールである。ＬＥＤモジュール５０は、フレキシブル基板５２と、フレキシブル基板５２の上に一列に実装された複数のＬＥＤ素子５８と、配線５４と、電極端子５６とを備える。
【００３７】
フレキシブル基板５２は、ポリイミド等から構成される、可撓性を有する長尺矩形状の基板である。つまり、フレキシブル基板５２の表面及び裏面は、平面視した場合に矩形状となっている。
【００３８】
フレキシブル基板５２は、表面（ＬＥＤ素子５８が設けられる主面）が外側を向いた状態で、棒状部材３０に、等間隔の螺旋状に巻きつけられている。言い換えれば、フレキシブル基板５２は、棒状部材３０の長手方向において等間隔となるように（螺旋ピッチが等しくなるように）、裏面が棒状部材３０の外面に対向した状態で棒状部材３０に螺旋状に巻きつけられている。
【００３９】
なお、ここでの等間隔とは、製造状の誤差等を含めて実質的に等間隔であることを意味する。また、フレキシブル基板５２は、棒状部材３０に少なくとも１周以上巻きつけられている。
【００４０】
複数のＬＥＤ素子５８は、フレキシブル基板５２の表面に直接実装されている。複数のＬＥＤ素子５８は、フレキシブル基板５２の短手方向の真ん中に、フレキシブル基板５２の長手方向に沿ってライン状（一直線状）に一列に配列されている。なお、複数のＬＥＤ素子５８は、直列接続および並列接続が組み合わされるなど、電気的にはどのように接続されていてもよい。
【００４１】
ＬＥＤ素子５８は、ＬＥＤチップと蛍光体とがパッケージ化された、いわゆるＳＭＤ型の発光素子であり、例えば白色光を発する白色ＬＥＤ素子である。図４に示されるように、ＬＥＤ素子５８は、パッケージ（キャビティ）５９と、パッケージ５９の凹部底面に実装されたＬＥＤ５３と、パッケージ５９の凹部に充填され、ＬＥＤ５３を封止する蛍光体含有樹脂である封止部材５１と、金属配線等とを備える。
【００４２】
パッケージ５９は、非透光性樹脂（白樹脂等）で成型された容器であり、逆円錐台形状の凹部（キャビティ）を備える。凹部の内側面は傾斜面であり、ＬＥＤ５３からの光を上方に反射させるように構成されている。
【００４３】
各ＬＥＤ５３は、発光素子の一例であって、単色の可視光を発するベアチップであり、ダイアタッチ材（ダイボンド材）によってパッケージ５９の凹部の底面にダイボンディング実装されている。ＬＥＤ５３としては、例えば青色光を発光する青色発光ＬＥＤチップを用いることができる。青色発光ＬＥＤチップとしては、例えばＩｎＧａＮ系の材料によって構成された、中心波長が４４０ｎｍ〜４７０ｎｍの窒化ガリウム系の半導体発光素子を用いることができる。
【００４４】
封止部材５１は、光波長変換体である蛍光体を含む蛍光体含有樹脂であって、ＬＥＤ５３からの光を波長変換するとともに、ＬＥＤ５３を封止してＬＥＤ５３を保護する。封止部材５１は、パッケージ５９の凹部に充填されており、当該凹部の開口面まで封入されている。
【００４５】
封止部材５１としては、例えば、ＬＥＤ５３が青色発光ＬＥＤである場合、ＹＡＧ（イットリウム・アルミニウム・ガーネット）系の黄色蛍光体粒子をシリコン樹脂に分散させた蛍光体含有樹脂を用いることができる。この場合、黄色蛍光体粒子は青色発光ＬＥＤの青色光によって励起されて黄色光を放出するので、封止部材５１からは、励起された黄色光と青色発光ＬＥＤの青色光とによって白色光が放出される。なお、封止部材５１は、シリカ等の光拡散材を含有していてもよい。
【００４６】
配線５４は、タングステン（Ｗ）または銅（Ｃｕ）等からなる金属配線である。配線５４は、複数のＬＥＤ素子５８同士を電気的に接続するとともにＬＥＤ素子５８と電極端子５６とを電気的に接続するために所定形状にパターン形成されている。パターン形成された配線５４は、フレキシブル基板５２に含まれるカバー材で覆われている。
【００４７】
電極端子５６は、外部から直流電力を受電するとともにＬＥＤ５３に直流電力を給電する受給電部（外部接続端子）であり、その表面が露出し、配線５４に電気的に接続されている。電極端子５６が受電した直流電圧がＬＥＤ５３に供給されることにより、ＬＥＤ５３が発光し、ＬＥＤ５３から所望の光が放出される。
【００４８】
なお、電極端子５６は、リード線４５によって点灯回路（図示せず）に接続され、点灯回路を介して受電ピン６１と電気的に接続される。電極端子５６には、照明用光源１０内の点灯回路を通じて直流電力が供給される。なお、電極端子５６と、点灯回路及び受電ピン６１とは、どのような態様で接続されてもよい。
【００４９】
［口金］
一対の口金６０は、略有底円筒形状に構成されており、筐体２０の両端部（管軸方向の両端部）に設けられている。そして、一対の口金６０は、筐体２０の両端部の開口を覆っている。一方の口金６０には、一対の受電ピン６１が設けられており、他方の口金６０には、アースピン６２が設けられている。
【００５０】
一対の受電ピン６１は、Ｌ形の金属材料で構成された導電性のピンである。一対の受電ピン６１は、照明器具に装着されることによって、ＬＥＤモジュール５０のＬＥＤを点灯させるための直流電力を照明器具から受電する。この一対の受電ピン６１が受電した直流電力は、照明用光源１０内の点灯回路に供給される。なお、受電ピン６１は、交流電力を照明器具から受電してもよい。この場合、照明用光源１０内の点灯回路には、交流電力を直流電力に変換する回路が含まれる。
【００５１】
アースピン６２は、１本の棒状の金属材料によって構成された導電性のピンである。受電ピン６１と同様に、アースピン６２は、照明器具に装着されるように構成されている。したがって、照明器具におけるアースピン６２との接続部分（ソケット内の接続部）がアース端子となっていれば、照明用光源１０が当該照明器具に装着されたときに、アースピン６２は接地電位となる。
【００５２】
なお、照明用光源１０が、既存の蛍光灯用の照明器具に装着されるような場合は、当該照明器具とアースピン６２とはアース接続されず、アースピン６２は、照明用光源１０を照明器具に取り付けるための取り付けピンとして機能する。したがって、アースピン６２は必ずしも金属で構成される必要はない。また、アースピン６２は、１本に限らず、２本以上であってもよい。
【００５３】
このように、照明用光源１０は、片側給電方式を採用しており、ＬＥＤモジュール５０を点灯させるための電力は、照明用光源１０の一方の端部のみに設けられた一対の受電ピン６１から給電されるように構成されている。
【００５４】
［棒状部材］
棒状部材３０は、ＬＥＤモジュール５０が巻きつけられる、断面が円形の棒状の部材である。棒状部材３０は、アクリルなどの樹脂製の部材であってもよいし、アルミニウムや鉄などの金属製の部材であってもよい。棒状部材３０は、口金６０の内側に設けられた保持部（図示せず）によって保持される。
【００５５】
また、棒状部材３０は、断面が円形の部材に限定されるものではない。例えば、棒状部材３０は、管状（中空）の部材であってもよい。また、棒状部材の断面形状は、どのような形状であってもよい。図５は、棒状部材の別の例を示す図である。
【００５６】
図５に示されるように、照明用光源１０に用いられる棒状部材は、断面が矩形（正方形または長方形）の棒状部材３０ａ（図５の（ａ））であってもよいし、断面が六角形の棒状部材３０ｂ（図５の（ｂ））であってもよい。
【００５７】
また、棒状部材３０は、透光性を有する部材であってもよい。棒状部材３０が透光性を有する場合、棒状部材３０は、ＬＥＤ素子５８からの漏れ光を導光し、筐体２０の外側に漏れ光を取り出すことができる。これにより、ＬＥＤ素子５８からの光を効率的に使用することが可能となる。
【００５８】
上記のような構成の照明用光源１０の製造においては、まず、棒状部材３０にＬＥＤモジュール５０が巻きつけられる。そして、ＬＥＤモジュール５０が巻きつけられた状態の棒状部材３０が筐体２０内に配置され、リード線４５が点灯回路と電気的に接続される。そして、筐体２０の管軸方向の両端部に口金６０が取り付けられる。
【００５９】
以上のように、実施の形態１に係る照明用光源１０は、棒状部材３０と、ＬＥＤ素子５８が設けられたフレキシブル基板５２とを備え、フレキシブル基板５２は、棒状部材３０に巻きつけられている。
【００６０】
これにより、シンプルな構成により全方向への配光が可能な照明用光源１０が実現される。
【００６１】
なお、１つの照明用光源１０に使用されるＬＥＤモジュール５０の数や、フレキシブル基板５２の長さ及び形状、または、フレキシブル基板５２に実装されるＬＥＤ５３の個数等は、特に限定されるものではない。例えば、複数のＬＥＤモジュールが１つの棒状部材に巻きつけられてもよい。また、ＬＥＤモジュール５０が巻きつけられる間隔も、実施の形態１のような間隔に限定されるものではない。
【００６２】
（実施の形態２）
実施の形態１では、直管形の照明用光源１０について説明したが、本発明は、円環状の照明用光源としても実現可能である。以下の実施の形態２では、円環状の照明用光源に本発明を適用した例について説明する。なお、以下の実施の形態２では、実施の形態１に係る照明用光源との相違点を中心に説明する。
【００６３】
図６は、実施の形態２に係る照明用光源の外観を示す図である。図６の（ａ）は、実施の形態２に係る照明用光源の外観図であり、図６の（ｂ）は、筐体及び口金を除いた、実施の形態２に係る照明用光源を示す外観図である。
【００６４】
実施の形態２に係る照明用光源１０ａは、従来の円環形蛍光灯（円環形蛍光ランプ）の代替照明として使用される円環状のＬＥＤランプである。照明用光源１０ａは、筐体２０ａと、環状部材３５ａ（環状の芯材）と、ＬＥＤモジュール５０と、口金６０ａと、点灯回路（図外）とを備える。
【００６５】
筐体２０ａは、ランプ筐体の外面を構成する略円環筒状の部材であって、環状部材３５ａに巻きつけられたＬＥＤモジュール５０を収容する、透光性を有する筐体である。筐体２０ａの材料等は、筐体２０と同様である。
【００６６】
ＬＥＤモジュール５０（フレキシブル基板５２）は、実施の形態１で説明したものと同様であり、表面（ＬＥＤ素子５８が設けられる主面）が外側を向いた状態で、環状部材３５ａに、等間隔の螺旋状に巻きつけられている。
【００６７】
環状部材３５ａは、ＬＥＤモジュール５０が巻きつけられる、断面が円形で、なおかつ円環状の部材である。環状部材３５ａは、棒状部材３０と同様に、どのような材料で構成されてもよい。また、環状部材３５ａの断面形状は、どのような形状であってもよい。環状部材３５ａは、口金６０ａの内側に設けられた保持部（図示せず）によって保持される。
【００６８】
口金６０ａは、円筒形状に構成されており、筐体２０の一部を覆うように設けられている。口金６０ａには、一対の受電ピン６１が設けられている。
【００６９】
一対の受電ピン６１ａは、照明器具に装着されることによって、ＬＥＤモジュール５０のＬＥＤを点灯させるための直流電力を照明器具から受電する。一対の受電ピン６１ａは、点灯回路（図示せず）を介してリード線４５に接続される。
【００７０】
以上のように、実施の形態２に係る照明用光源１０ａは、環状部材３５ａと、ＬＥＤ素子５８が設けられたフレキシブル基板５２とを備え、フレキシブル基板５２は、棒状部材３０に巻きつけられている。
【００７１】
これにより、シンプルな構成により全方向への配光が可能な照明用光源１０ａが実現される。
【００７２】
（実施の形態３）
次に、実施の形態１に係る照明用光源１０を、照明装置に適用した例について、図７を用いて説明する。図７は、実施の形態３に係る照明装置の構成を示す斜視図である。
【００７３】
実施の形態３に係る照明装置１００は、図７に示されるように、実施の形態１に係る照明用光源１０と、照明器具１１０とを備える。このような照明装置１００は、天井等に固定具を介して装着される。
【００７４】
照明器具１１０は、照明用光源１０と電気的に接続され、かつ、照明用光源１０を保持する一対のソケット１２０と、ソケット１２０が取り付けられた器具本体１３０とを備える。器具本体１３０は、例えばアルミ鋼板をプレス加工等することによって成形することができる。また、器具本体１３０の内面は、照明用光源１０から発せられた光を所定方向（例えば下方）に反射させる反射面となっている。
【００７５】
以上のように、実施の形態３に係る照明装置１００は、実施の形態１に係る照明用光源１０を用いているので、シンプルな構成により全方向への配光が可能である。なお、本発明は、照明用光源１０ａと、これに対応する照明器具と備える照明装置として実現されてもよい。
【００７６】
（変形例）
以上、本発明の照明用光源１０及び１０ａ、並びに照明装置１００について、実施の形態に基づいて説明したが、本発明は、これらの実施の形態に限定されるものではない。
【００７７】
例えば、上記実施の形態においては、発光素子としてＬＥＤ５３（ＬＥＤ素子５８）が用いられたが、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子が用いられてもよい。
【００７８】
また、発光素子として有機ＥＬが用いられる場合、ＬＥＤモジュール５０に代えて有機ＥＬパネル（有機ＥＬが実装されたフレキシブル基板）が用いられてもよい。
【００７９】
また、上記実施の形態において、口金６０は、日本電球工業会によって規格化されたＪＥＬ８０１に準拠した、片側給電方式のＬ形口金であるとしたが、両方の側の口金とも受電ピンとするＧ１３口金等の両側給電方式であってもよい。この場合、一方側の受電ピンも他方側の受電ピンも１ピンとするような構成でも構わないし、一方側の受電ピンも他方側の受電ピンも一対の受電ピンとして両側から受電するような構成でも構わない。
【００８０】
また、上記実施の形態においては、ＳＭＤ型のＬＥＤモジュール５０が用いられたが、図８及び図９に示されるようなＣＯＢ（Ｃｈｉｐ  Ｏｎ  Ｂｏａｒｄ）型のＬＥＤモジュール５０ａが用いられてもよい。
【００８１】
図８は、ＬＥＤモジュール５０ａの構成を示す平面図（上面図）であり、図９は、図８のＬＥＤモジュール５０ａをＡ−Ａ’線に沿って切断した場合のＬＥＤモジュール５０ａの断面図である。
【００８２】
ＣＯＢ型のＬＥＤモジュール５０ａは、フレキシブル基板５２と、フレキシブル基板５２上に一列に直接実装された複数のＬＥＤ５３と、複数のＬＥＤ５３を一括封止する封止部材５１ａとを備える。また、ＬＥＤモジュール５０ａは、配線５４と、電極端子５６と、金ワイヤ等のワイヤ５７とを備える。
【００８３】
複数のＬＥＤ５３のそれぞれのチップ上面には電流を供給するためのｐ側電極及びｎ側電極が形成されており、ｐ側電極及びｎ側電極のそれぞれと配線５４とがワイヤ５７によってワイヤボンディングされている。
【００８４】
封止部材５１ａは、断面形状が上に凸の略半円状のドーム形状であり、フレキシブル基板５２上の全てのＬＥＤ５３を覆うようにＬＥＤ５３の配列方向に沿って直線状に形成されている。
【００８５】
なお、直線状（ストライプ状）の封止部材５１ａは、フレキシブル基板５２の短手方向の中心を通る直線上に形成されている。また、封止部材５１ａは、フレキシブル基板５２の表面において長手方向の一方の端面から対向する他方の端面まで途切れることなく形成されている。また、２つの電極端子５６は、封止部材５１ａを基準としてフレキシブル基板５２の一方の長辺側に寄せられている。
【００８６】
このようなＣＯＢ型のＬＥＤモジュール５０ａが用いられた照明用光源によっても、全方向への配光が可能となる。
【００８７】
なお、封止部材５１ａ及びＬＥＤ５３はフレキシブル基板５２の短手方向の中心を通る直線よりも一方の長辺側に寄って配置されてもよい。
【００８８】
また、封止部材５１ａはフレキシブル基板５２上の全てのＬＥＤ５３を一括封止するとしたが、１つのフレキシブル基板５２上に複数の封止部材５１ａが島状に設けられ、複数の封止部材５１ａのそれぞれが１または複数のＬＥＤ５３を個別に封止してもよい。
【００８９】
また、上記実施の形態において、ＬＥＤモジュール５０は、青色ＬＥＤチップと黄色蛍光体粒子とによって白色光を放出するように構成したが、ＬＥＤモジュール５０は、このような構成に限定されるものではない。例えば、赤色蛍光体粒子及び緑色蛍光体粒子を含有する蛍光体含有樹脂を用いて、これと青色ＬＥＤチップとを組み合わせることにより白色光を放出するように構成されてもよい。
【００９０】
また、ＬＥＤ５３は、青色光以外の光を発光するＬＥＤであってもよい。例えば、紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【００９１】
また、フレキシブル基板５２は、基材としてＰＥＮ（ポリエチレンナフタレート）や、ＰＥＴ（ポリエチレンテレフタレート）が用いられた、透光性を有する基板であってもよい。フレキシブル基板５２が透光性を有することにより、フレキシブル基板５２自体が光を遮らない効果がある。
【００９２】
以上、一つまたは複数の態様に係る照明用光源及び照明装置について、実施の形態及び変形例に基づいて説明したが、本発明は、上記実施の形態及び変形例に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００９３】
１０、１０ａ  照明用光源
２０、２０ａ  筐体
３０、３０ａ、３０ｂ  棒状部材（芯材）
３５ａ  環状部材（芯材）
４５  リード線
５０、５０ａ  ＬＥＤモジュール
５１、５１ａ  封止部材
５２  フレキシブル基板
５３  ＬＥＤ
５４  配線
５６  電極端子
５７  ワイヤ
５８  ＬＥＤ素子
５９  パッケージ
６０、６０ａ  口金
６１、６１ａ  受電ピン
６２  アースピン
１００  照明装置
１１０  照明器具
１２０  ソケット
１３０  器具本体
【図１】
2015153705.tif 000003
【図２】
2015153705.tif 000004
【図３】
2015153705.tif 000005
【図４】
2015153705.tif 000006
【図５】
2015153705.tif 000007
【図６】
2015153705.tif 000008
【図７】
2015153705.tif 000009
【図９】
2015153705.tif 000010
【図８】
2015153705.tif 000011